(57)【要約】【課題】  この発明は、特定の光線波長を有する光の透過を許容するフィルムを使用した場合の該フィルムの経時劣化を防止し得る蛍光灯カバーを提供することを目的とする。【解決手段】  透光フィルム部１ｂは、所望の波長の光線を透過する着色フィルム５ｂを含む複数の透光フィルムを積層してなり、該透光フィルムのうち、蛍光灯収容空間３に最も近いものを、他の着色フィルム５ａより耐熱性の高い材質からなるものとした。【選択図】    図２
2006331919.tif 000002
【特許請求の範囲】
【請求項１】
筒状に形成され内部を蛍光灯収容空間とし、蛍光灯の外周を覆うフィルム部を有する蛍光灯カバーにおいて、
上記フィルム部は、所望の波長の光を透過する複数の透光フィルムを積層してなり、
該透光フィルムのうち、上記蛍光灯収容空間に最も近いものを、他の透光フィルムより耐熱性の高い材質からなるものとした
蛍光灯カバー。
【請求項２】
前記透光フィルムのうち、最も前記蛍光灯収容空間に近いものを、他の透光フィルムより剛性の高い材質からなるものとした
請求項１記載の蛍光灯カバー。
【請求項３】
前記他の透光フィルムを着色フィルムにより構成した
請求項１または２記載の蛍光灯カバー。
【請求項４】
前記他の透光フィルムを、紫外線の透過率を制御する紫外線制御フィルムにより構成した
請求項１または２記載の蛍光灯カバー。
【請求項５】
前記他の透光フィルムを、赤外線の透過率を制御する赤外線制御フィルムにより構成した
請求項１または２記載の蛍光灯カバー。
【請求項６】
前記他の透光フィルムを複数積層するとともに、
該複数積層した透光フィルムは、各々透過する光の波長帯が異なるものである
請求項１または２記載の蛍光灯カバー。
【請求項７】
着色フィルムにより構成した前記他の透光フィルムを複数積層するとともに、
該複数積層した透光フィルムは各々異なる色の着色が施されたものである
請求項６記載の蛍光灯カバー。
【発明の詳細な説明】
【技術分野】
【０００１】
この発明は、筒状に形成され内部を蛍光灯収容空間とし、蛍光灯の外周を覆うフィルム部を有する蛍光灯カバーに関する。
【背景技術】
【０００２】
従来、蛍光灯から所望の波長の光を照射したい場合、例えば、蛍光灯から所望の光を照射させたい場合、蛍光灯のガラス管内側に着色塗装を施してこれを実現している。
【０００３】
しかしながら、このようなガラス管内側の着色塗装は大掛かりなものとなり、色のバリエーション等、市場からの様々なニーズに都度対応するのは難しいという問題がある。
【０００４】
そこで、蛍光灯に被せるという発想から生まれた構造のカバーに対して工夫を施すことにより、紫外線をカットしたり、虫の飛来を防止したりできる等、どの様な場合においても容易に快適な環境を作ることができる蛍光灯カバーが提案されている（特許文献１、２参照）。
【０００５】
特に、蛍光灯から照射される光から、特定の波長を有する光のみを透過させるようにすることにより、所望の色の光を照射したい場合、蛍光灯のガラス管内側に着色塗装を施す代わりに、下記先行文献２に開示されているような、青、赤、緑、黄色等に着色した薄膜フィルムを使用する等して、加工を容易にし、市場の様々なニーズに臨機応変に且つ迅速に対応できるようにすることが考えられる。
【０００６】
【特許文献１】特開２０００−３１１５１１公報
【特許文献２】実公平３−３６００２号公報
【発明の開示】
【発明が解決しようとする課題】
【０００７】
しかしながら、上述したような薄膜フィルムを使用する場合、蛍光灯から放出される熱に対する耐久性を考慮しなければならない。そこで、前記特許文献２では、合成樹脂膜を合成樹脂フィルムにラミネートして、熱が合成樹脂膜に伝達することを防止すると記載されてはいるものの、着色が施された薄膜フィルム等、特定の波長を有する光を透過させることができる薄膜フィルムの劣化対策に関する具体的構成は述べられていない。
【０００８】
この発明は、特定の光線波長を有する光を透過するフィルムを使用した場合の該フィルムの経時劣化を防止し得る蛍光灯カバーを提供することを目的とする。
【課題を解決するための手段】
【０００９】
この発明の請求項１記載の発明は、筒状に形成され内部を蛍光灯収容空間とし、蛍光灯の外周を覆うフィルム部を有する蛍光灯カバーにおいて、上記フィルム部は、所望の波長の光を透過する複数の透光フィルムを積層してなり、該透光フィルムのうち、上記蛍光灯収容空間に最も近いものを、他の透光フィルムより耐熱性の高い材質からなるものとしたことを特徴とする。
【００１０】
この発明の請求項２記載の発明は、前記透光フィルムのうち、最も前記蛍光灯収容空間に近いものを、他の透光フィルムより剛性の高い材質からなるものとしたことを特徴とする。
【００１１】
この発明の請求項３記載の発明は、前記他の透光フィルムを着色フィルムにより構成したことを特徴とする。
【００１２】
この発明の請求項４記載の発明は、前記他の透光フィルムを、紫外線の透過率を制御する紫外線制御透過フィルムにより構成したことを特徴とする。
【００１３】
この発明の請求項５記載の発明は、前記他の透光フィルムを、赤外線の透過率を制御する赤外線制御フィルムにより構成したことを特徴とする。
【００１４】
この発明の請求項６記載の発明は、前記他の透光フィルムを複数積層するとともに、該複数積層した透光フィルムは、各々透過する光の波長帯が異なるものであることを特徴とする。
【００１５】
この発明の請求項７記載の発明は、着色フィルムにより構成した前記他の透光フィルムを複数積層するとともに、該複数積層した透光フィルムは各々異なる色の着色が施されたものであることを特徴とする。
【発明の効果】
【００１６】
この発明によれば、最も蛍光灯収容空間に近い透光フィルムが高い耐熱性を有していることにより、所望の波長の光を透過する、外層の透光フィルムを蛍光灯の熱から保護し、経時劣化を防止できる。
【発明を実施するための最良の形態】
【００１７】
この発明の一実施形態を以下図面と共に説明する。  
図１は、蛍光灯カバー１（以下、カバーという）の分解斜視図であり、蛍光灯２を収容可能な長尺の帯状に形成されている。蛍光灯２は、カバー１の両側縁を相互に近付けるように変形すると二点鎖線で示すように開口される蛍光灯収容空間３に収容する。
【００１８】
図２は、カバー１の構造並びに、該カバー１に蛍光灯２を収容した状態を示す断面図である。カバー１は、（蛍光灯２の器具への）取付側フィルム４と照射対象空間側フィルム５（以下、対象空間側フィルムという）とを重合してその両側部を長さ方向にシールして形成している。
【００１９】
前記シールは、対象空間側フィルム５の両端部の位置を取付側フィルム４の両端部に合わせるように重合してから、両フィルム４、５の両側縁位置に行なう（シール部６、６）。また、取付側フィルム４は、上述のように二重に構成しているので、一重の場合よりも剛性または可撓性がある。
【００２０】
上記シール部６、６の間隔は、蛍光灯２を蛍光灯収容空間３に挿入したときに、図２に示したようにゆったりと入る幅がよい。作業がしやすい上に、照度アップの効果が高いからである。
【００２１】
前記取付側フィルム４における対象空間側フィルム５との重合部が反射フィルム部１ａで、対象空間側フィルム５の上記反射フィルム部１ａに対向する部分が透光フィルム部１ｂである。
【００２２】
取付側フィルム４は、透明の合成樹脂フィルム、例えばポリエステルフィルム等で形成し、その構造は、片面にアルミ蒸着を施した一枚の反射フィルム４ａに対し、そのアルミ蒸着層を覆うように別の透明フィルム４ｂをラミネートした構造である。
【００２３】
対象空間側フィルム５は、直接蛍光灯に当接する透明保護フィルム５ａと、所望の波長の光を透過するために着色加工が施された着色フィルム５ｂとにより構成されており、その構造は、上記透明保護フィルム５ａに対し、蛍光灯収容空間３と反対側の面を覆うように上記着色フィルム５ｂをラミネートした構造である。
【００２４】
また、前記透明保護フィルム５ａを、前記着色フィルム５ｂよりも耐熱性が高く、剛性の高い材質からなるものとしている。ここで、前記透明保護フィルム５ａを、剛性の高い材質からなるものとすることにより、上述したラミネート加工時における対象空間側フィルム５の必要以上の変形を防止し、作業性を向上させることができる。また、カバーを使用する際の取り扱い時においても、透明保護フィルム５ａの他、着色フィルム５ｂの折れ曲がりや破断等の損傷を防止することもできる。
【００２５】
このように構成したカバー１では、使用に当っては、内部の蛍光灯収容空間３に蛍光灯２を差し込んで、蛍光灯２を器具に取付け、反射フィルム部１ａの蛍光灯２外周面における位置を適宜設定する。カバー１は、両側をシールして形成した扁平な形であり、蛍光灯２を収容すると反射フィルム部１ａと透光フィルム部１ｂとが引き離された状態となり、言い換えれば相対向する各部で蛍光灯２を挟んだ状態になるので、カバー１の向きは安定する。
【００２６】
上述した構造を有する蛍光灯カバー１を使用して蛍光灯２を点灯すると、蛍光灯２から放たれる光のうち透光フィルム部１ｂ側のものはそのまま、反射フィルム部１ａ側のものはこれに反射され、透光フィルム部１ｂを透過して、照射対象空間（以下、対象空間という）を照らす。
【００２７】
蛍光灯２から放たれる光のうち透光フィルム部１ｂ側において、透明保護フィルム５ａにより、その光はそのまま透過され、該透明保護フィルム５ａの外層の着色フィルム５ｂにおいて、該着色フィルム５ｂの色に対応した色（波長）の光となって対象空間を照らすことになる。
【００２８】
ここで、前記保護フィルム５ａを、前記着色フィルム５ｂよりも耐熱性が高い材質からなるものとし、図２に示すように、蛍光灯２と着色フィルム５ｂとの間に透明保護フィルム５ａを介在させることにより、所望の波長の光を透過する外層の着色フィルム５ｂを蛍光灯２の放射熱から保護し、経時劣化を防止することができる。
【００２９】
前記保護フィルム５ａと、前記着色フィルム５ｂとの間の耐熱性の関係を考慮すると、保護フィルム５ａは、例えば、ポリエステル、ポリカーボネイト等の素材で構成するのが好ましく、着色フィルム５ｂは、例えば、アクリル、塩化ビニール、ナイロン等の薄膜フィルムで構成するのが好ましい。
【００３０】
なお、前記透明保護フィルム５ａの外層にラミネートされるフィルムとしては、必ずしも対象空間に照射される光を所望の色にする着色フィルムを対象とすることに限定されない。例えば、可視光線の波長の範囲外となる、紫外線、赤外線の透過率を制御可能とし、これらの光線の透過を許容することができる制御フィルム、逆に、紫外線、赤外線等の特定の波長の光を遮蔽し、それ以外の帯域の波長の光を透過することができる制御フィルム等、波長選択を実現するあらゆるフィルムを対象とすることができる。
【００３１】
また、対象空間に照射される光を所望のものとする場合、各々透過する光の波長帯が異なる複数のフィルムを積層させてもよい。例えば、図３に示す蛍光灯カバー１１のように、互いに異なる着色加工が施された複数の着色フィルム１５ｂ、１５ｃを透明保護フィルム１５ａの面上にラミネートして積層させるようにしてもよい。例えば、着色フィルム１５ｂの着色が赤、着色フィルム１５ｃの着色が緑の組み合わせであれば、対象空間に照射される光は黄となり、着色フィルム１５ｂの着色が赤、着色フィルム１５ｃの着色が青の組み合わせであれば、対象空間に照射される光は赤紫となる。このように、複数の着色フィルムの組み合わせ次第で、様々なバリエーションの色の光を作り出すことができる。
【００３２】
ここで、図３に示す蛍光灯カバー１１における着色フィルム１５ｂ、１５ｃのいずれかに代えて紫外線を遮蔽するフィルムを使用し、これをラミネートさせることにより、装飾性の向上および、空間利用者の紫外線からの保護といった複数の目的を満足させることもできる。
【００３３】
さらにまた、必ずしも波長選択を実現するフィルムを透光フィルム部１ｂ側にラミネートすることに限定されない。例えば、図４に示す蛍光灯フィルム２１のように、蛍光灯２に直接当接する透明保護フィルム２４ａを反射フィルム部２１ａ側に設け、透明保護フィルム２４ａの外層に着色フィルム２４ｂ、反射フィルム２４ｃを順番に積層してもよい。
【００３４】
さらにまた、蛍光灯カバーにおいては、必ずしも反射フィルム部を備える必要はなく、例えば、図５に示すような、両面とも反射フィルムを備えていない蛍光灯カバー３１の、両面または片面側のみにおいて蛍光灯２に直接当接する透明保護フィルム３４ａを備え、該透明保護フィルム３４ａの外層に着色フィルム３４ｂを順番に積層してもよい。
【００３５】
この発明の構成と、上述の実施形態との対応において、
この発明の透光フィルムは、透明保護フィルム５ａ、１５ａ、２４ａ、３４ａ、着色フィルム５ｂ、１５ｂ、１５ｃ、２４ｃ、３４ｂに対応するも、
この発明は、上述の実施形態の構成のみに限定されるものではなく、多くの実施の形態を得ることができる。
【図面の簡単な説明】
【００３６】
【図１】蛍光灯カバーの分解斜視図。
【図２】図１に示すカバーの構造並びに、該カバーに蛍光灯を収容した状態を示す断面図。
【図３】別の実施形態に係る蛍光灯カバーの分解斜視図。
【図４】さらに別の実施形態に係る蛍光灯カバーの分解斜視図。
【図５】さらに別の実施形態に係る蛍光灯カバーの分解斜視図。
【符号の説明】
【００３７】
１、１１、２１、３１…蛍光灯カバー
５ａ、１５ａ、２４ａ、３４ａ…透明保護フィルム
５ｂ、１５ｂ、１５ｃ、２４ｃ、３４ｂ…着色フィルム
【図１】
2006331919.tif 000003
【図２】
2006331919.tif 000004
【図３】
2006331919.tif 000005
【図４】
2006331919.tif 000006
【図５】
2006331919.tif 000007